(57)【要約】【課題】不定形シートの読み取りをより簡易な構成で実現することができる画像処理装置及び画像処理方法を提供することである。【解決手段】実施形態の画像処理装置は、表面読取部と、裏面読取部と、裏面画像処理部と、表面画像処理部と、を持つ。表面読取部は、シートの表面を含む範囲を読み取る。裏面読取部は、前記シートの裏面を含む範囲を読み取る。裏面画像処理部は、前記シート裏面が読み取られた際に得られる裏面画像データに基づいて前記裏面画像データ内における前記シート部分の位置を検出する。表面画像処理部は、前記裏面画像データ内における前記シート部分の位置に基づいて、前記シート表面が読み取られた際に得られる表面画像データから前記シート部分の画像を切り出す。【選択図】図２
2018142758.tif 000002
【特許請求の範囲】
【請求項１】
シートの表面を含む範囲を読み取る表面読取部と、
前記シートの裏面を含む範囲を読み取る裏面読取部と、
前記シート裏面が読み取られた際に得られる裏面画像データに基づいて前記裏面画像データ内における前記シート部分の位置を検出する裏面画像処理部と、
前記裏面画像データ内における前記シート部分の位置に基づいて、前記シート表面が読み取られた際に得られる表面画像データから前記シート部分の画像を切り出す表面画像処理部と、
を備える画像処理装置。
【請求項２】
前記裏面画像処理部は、前記裏面画像に対して、ハイライト側の明度のレベル差を拡大する階調変換処理を行い、前記階調変換処理を行った裏面画像に基づいて前記シート部分と前記シートの背景部分との境界を識別する、
請求項１に記載の画像処理装置。
【請求項３】
前記表面読取部及び前記裏面読取部は、前記シートの表面画像データ及び裏面画像データを一度の読取動作中に取得することが可能であり、
前記表面画像処理部による前記表面画像データに対する画像処理と、前記裏面画像処理部による前記裏面画像データに対する画像処理とが並行して実行される、
請求項１又は２に記載の画像処理装置。
【請求項４】
前記裏面画像処理部は、読取モードが不定形のシートを読み取る不定形モードである場合に前記階調変換処理を行う、
請求項１から３のいずれか一項に記載の画像処理装置。
【請求項５】
シートの表面を含む範囲を読み取り、
前記シートの裏面を含む範囲を読み取り、
前記シート裏面が読み取られた際に得られる裏面画像データに基づいて前記裏面画像データ内における前記シート部分の位置を検出し、
前記裏面画像内における前記シート部分の位置に基づいて、前記シート表面が読み取られた際に得られる表面画像データから前記シート部分の画像を切り出す、
画像処理方法。
【発明の詳細な説明】
【技術分野】
【０００１】
本発明の実施形態は、画像処理装置及び画像処理方法に関する。
【背景技術】
【０００２】
読み取り対象の原稿として領収書やレシートなどの不定形のシートを読み取ることが可能な画像処理装置がある。このような不定形のシートの読み取りでは、まずシート全体を含む範囲の読み取りが行われる。読み取られた画像には、シート部分とシート背面の部材（例えばシート台に被せられるシートカバー）部分とが含まれる。不定形のシートの読み取りは、このように読み取られた画像からシート部分の画像を切り出すことによって実現されるのが一般的である。
【０００３】
しかしながら、シート背面の部材の色と、シートの下地の色とが似ている場合、シート部分の輪郭を識別することが困難となり、シート部分の画像を正確に切り出すことができない場合があった。シートカバーは、一般的に複写時に画像にかぶりがでにくいように白色の材料で構成されることが多く、また読み取り対象のシートの下地も白色のものが多い。このため、読み取りによって取得された画像データにおいて、シートカバーの白色部分とシート下地の白色部分とを区別することが困難な場合があった。従来、このような問題を解決する構成を備えた画像処理装置がいくつか提案されているが、そのいずれもシート背面にシート部分との識別が可能な色を有する部材を配置するものであった。このような構成は、部材自体の追加や部材の位置を制御する特別なメカ機構などを必要とし、製造コストの増大を招く可能性があった。
【先行技術文献】
【特許文献】
【０００４】
【特許文献１】特開平８−３１７１３８号公報
【発明の概要】
【発明が解決しようとする課題】
【０００５】
本発明が解決しようとする課題は、不定形シートの読み取りをより簡易な構成で実現することができる画像処理装置及び画像処理方法を提供することである。
【課題を解決するための手段】
【０００６】
実施形態の画像処理装置は、表面読取部と、裏面読取部と、裏面画像処理部と、表面画像処理部と、を持つ。表面読取部は、シートの表面を含む範囲を読み取る。裏面読取部は、前記シートの裏面を含む範囲を読み取る。裏面画像処理部は、前記シート裏面が読み取られた際に得られる裏面画像データに基づいて前記裏面画像データ内における前記シート部分の位置を検出する。表面画像処理部は、前記裏面画像データ内における前記シート部分の位置に基づいて、前記シート表面が読み取られた際に得られる表面画像データから前記シート部分の画像を切り出す。
【図面の簡単な説明】
【０００７】
【図１】本実施形態の画像処理装置１００の全体構成例を示す外観図。
【図２】本実施形態における画像読取部３の機能構成の具体例を示す図。
【図３】本実施形態における階調変換用ＬＵＴの具体例を示す図。
【図４】階調変換処理によってハイライト側を飛ばした画像データの具体例を示す図。
【図５】本実施形態の画像処理装置１００が不定形のシートを読み取る処理の流れを示すフローチャート。
【図６】本実施形態におけるシート位置検出処理の動作例を示す図。
【図７】本実施形態におけるシート位置検出処理の動作例を示す図。
【図８】本実施形態における画像切り出し処理の流れを示すフローチャート。
【図９】表面画像データにおけるシート位置と裏面画像データにおけるシート位置との関係の具体例を示す図。
【図１０】読み取り結果として出力される画像データの具体例を示す図。
【発明を実施するための形態】
【０００８】
以下、実施形態の画像処理装置及び画像処理方法を、図面を参照して説明する。
【０００９】
図１は、本実施形態の画像処理装置１００の全体構成例を示す外観図である。画像処理装置１００は、例えば複合機である。画像処理装置１００は、ディスプレイ１、コントロールパネル２、画像読取部３、プリンタ部４及びシート収容部５を備える。画像処理装置１００は、トナー等の現像剤を用いてシート上に画像を形成する。シートは、例えば紙やラベル用紙である。シートは、その表面に画像処理装置１００が画像を形成できる物であればどのような物であってもよい。
【００１０】
ディスプレイ１は、液晶ディスプレイ、有機ＥＬ（Electro Luminescence）ディスプレイ等の画像表示装置である。ディスプレイ１は、画像処理装置１００に関する種々の情報を表示する。
【００１１】
コントロールパネル２は、複数のボタンを有する。コントロールパネル２は、ユーザの操作を受け付ける。コントロールパネル２は、ユーザによって行われた操作に応じた信号を、画像処理装置１００の制御部に出力する。なお、ディスプレイ１とコントロールパネル２とは一体のタッチパネルとして構成されてもよい。
【００１２】
画像読取部３は、読み取り対象のシートの画像情報を光の明暗として読み取る。画像読取部３は、両面スキャン時にはシートの表面及び裏面をほぼ同時に読み取ることが可能である。画像読取部３は、読み取られた画像情報を記録する。記録された画像情報は、ネットワークを介して他の情報処理装置に送信されてもよい。記録された画像情報は、プリンタ部４によってシート上に画像形成されてもよい。画像読取部３は、シートを押さえるための白色のカバー６を有する。
【００１３】
プリンタ部４は、画像読取部３によって生成された画像情報、又は通信路を介して受信された画像情報に基づいて、シート上に画像を形成する。プリンタ部４は、例えば以下のような処理によって画像を形成する。プリンタ部４の画像形成部は、画像情報に基づいて感光体ドラム上に静電潜像を形成する。プリンタ部４の画像形成部は、静電潜像に現像剤を付着させることによって可視像を形成する。現像剤の具体例として、トナーがある。プリンタ部４の転写部は、可視像をシート上に転写する。プリンタ部４の定着部は、シートに対して加熱及び加圧を行うことによって、可視像をシート上に定着させる。なお、画像が形成されるシートは、シート収容部５に収容されているシートであってもよいし、手指しされたシートであってもよい。
【００１４】
シート収容部５は、プリンタ部４における画像形成に用いられるシートを収容する。
【００１５】
図２は、本実施形態における画像読取部３の機能構成の具体例を示す図である。画像読取部３は、表面読取部３１、裏面読取部３２、読取制御部３３、裏面画像処理部３４、表面画像処理部３５、記憶部３６、スキュー補正部３７及び高画質化処理部３８を備える。表面読取部３１は、シートの表面を読み取り、シートの表面が読み取られた画像データ（以下「表面画像データ」という。）を生成する。表面読取部３１は、生成した表面画像データを表面画像処理部３３に出力する。
【００１６】
裏面読取部３２は、シートの裏面を読み取り、シートの裏面が読み取られた画像データ（以下「裏面画像データ」という。）を生成する。裏面読取部３２は、生成した裏面画像データを裏面画像処理部３４に出力する。なお、表面読取部３１及び裏面読取部３２は、シートの表面及び裏面を搬送経路上の異なる位置で読み取るように構成されてもよいし、搬送経路上の同じ位置で読み取るように構成されてもよい。
【００１７】
読取制御部３３は、画像読取部３の動作を読取モードに応じて制御する機能を有する。読取モードは、画像処理装置１００に対して指定される画像読取の動作モードである。例えば、読取モードには、定形のシートを読み取る場合の定形モードと不定形のシートを読み取る場合の不定形モードとが設けられてもよい。また、画像処理装置１００に対する読取モードの指定はユーザによって行われる。例えば、ユーザは、コントロールパネル２を操作することにより画像処理装置１００に対して読取モードを指定する。コントロールパネル２は、入力された読取モードを画像読取部３に通知する。
【００１８】
具体的には、読取制御部３３は、読取モードが不定形モードである場合、表面読取部３１及び裏面読取部３２に対してシート両面の読み取りを行わせるとともに、裏面画像処理部３４及び表面画像処理部３５に対して不定形モードに応じた画像処理を行わせる。
【００１９】
裏面画像処理部３４は、裏面読取部３２によって生成された裏面画像データに対して、読取制御部３３から通知される読取モードに応じた画像処理を行う。具体的には、裏面画像処理部３４は、裏面画像データに対して、画像内のシート位置を特定可能にする画像処理を行う。裏面画像処理部３４は、画像処理を施した裏面画像データに基づいて画像内のシート位置を特定し、特定したシート位置を示す情報（以下「裏面位置情報」という。）を記憶部３６に記憶させる。
【００２０】
表面画像処理部３５は、表面読取部３１によって生成された表面画像データに対して、読取制御部３３から通知される読取モードに応じた画像処理を行う。具体的には、裏面画像処理部３４は、表面画像処理部３５によって生成された裏面位置情報に基づいて表面画像データからシート表面の画像を切り出す。表面画像処理部３５は、切り出したシート表面の画像データをスキュー補正部３７に出力する。
【００２１】
記憶部３６は、磁気ハードディスク装置や半導体記憶装置などの記憶装置を用いて構成される。記憶部３６は設定情報を記憶する。設定情報は、裏面画像処理部３４及び表面画像処理部３５における画像処理に必要な設定を示す情報である。具体的には、設定情報には、画像データの階調変換処理に必要な情報が含まれる。例えば、画像データの階調変換処理に必要な情報は、入力データの値に対して出力データの値を与えるルックアップテーブル（ＬＵＴ：Lookup table）の態様で記憶される。以下、階調変換処理の設定情報として用いられるＬＵＴを階調変換用ＬＵＴと記載する。階調変換用ＬＵＴには、階調変換処理の性質や用途等に応じて異なるＬＵＴが設けられても良い。
【００２２】
スキュー補正部３７は、表面画像処理部３５から出力された切り出し後の画像データに対して画像の傾きのズレを補正するスキュー補正処理を実行する。スキュー補正部３７は、スキュー補正処理を施した画像データを高画質化処理部３８に出力する。
【００２３】
高画質化処理部３８は、ノイズの除去やエッジの強調等を行う高画質化処理を実行する。高画質化処理部３８は、高画質化処理を施した画像データを不定形モードの読み取り結果として出力する。
【００２４】
図３は、本実施形態における階調変換用ＬＵＴの具体例を示す図である。図３は、本実施形態における階調変換用ＬＵＴの具体例として、第１の階調変換用ＬＵＴ（Ａ）と第２の階調変換用ＬＵＴ（Ｂ）との２つの階調変換用ＬＵＴを示す。図３において、横軸は入力される画像データの明度を表し、縦軸は出力される画像データの明度を表す。この場合、第１の階調変換用ＬＵＴ（Ａ）は、階調変換処理において、ハイライト側（明度が大きく明るい方）の明度のレベル差を縮小し、シャドウ側（明度が小さく暗い方）の明度のレベル差を拡大するように作用する。一方、第２の階調変換用ＬＵＴ（Ｂ）は、階調変換処理において、ハイライト側の明度のレベル差を拡大し、シャドウ側の明度のレベル差を縮小するように作用する。
【００２５】
一般に、読取対象のシートの下地色は白色であることが多いため、その背面にも白色の部材が用いられることが多い。一方で、画像の読み取りにおいては、読み取られた画像データの色調が特定の色に偏る場合がある。この現象は一般に色かぶりと呼ばれ、シートの下地色と、その背景部材の色とが白色である場合、画像データの色調はハイライト側に偏る傾向にある。そのため、一般には、第１の階調変換用ＬＵＴ（Ａ）を用いた階調変換処理によって、画像データのハイライト側の明度のレベル差を縮小する（一般に「ハイライト側を飛ばす」と表現される）ことが行われている。
【００２６】
図４は、階調変換処理によってハイライト側を飛ばした画像データの具体例を示す図である。図４に示すように、ハイライト側を飛ばした画像データでは、シート下地の白色とシート背面の部材の白色とのレベル差が小さくなり、両者の境界を識別することが難しくなる。そのため、画像データから、シート部分の画像を正確に切り出すことが困難となる。
【００２７】
これに対して、裏面画像処理部３４は、裏面画像データに対して第２の階調変換用ＬＵＴ（Ｂ）を用いた階調変換処理を行うことにより、ハイライト側の明度のレベル差を拡大させる。このような階調変換処理を行うことにより、読み取られた裏面画像内においてシート下地の白色とシート背面の部材の白色とのレベル差が拡大し、両者の境界がより明確になる。このような階調変換処理を行った後、裏面画像処理部３４は、シートの下地とシート背面の部材との境界を識別することによって画像内のシート位置を特定し、特定したシート位置を示す裏面位置情報を記憶部３６に記憶させる。
【００２８】
表面画像処理部３５は、裏面画像処理部３４によって生成された裏面位置情報に基づいて、表面画像データからシート表面の画像データを切り出す。表面画像処理部３５は、切り出したシート表面の画像データを読み取り結果として出力する。なお、表面画像処理部３５は、第１の階調変換用ＬＵＴ（Ａ）を用いた階調変換処理を、切り出し前の表面画像データに対して施してもよいし、切り出したシート表面の画像データに対して施しても良い。
【００２９】
図５は、本実施形態の画像処理装置１００が不定形のシートを読み取る処理の流れを示すフローチャートである。まず、画像処理装置１００に対して、不定形モードの読み取りを実行させる指示が入力される。例えば、この指示は、ユーザがコントロールパネル２を操作することによって入力される。コントロールパネル２は、入力された指示が不定形モードの読み取りであることを画像読取部３の読取制御部３３に通知する。読取制御部３３は、表面読取部３１、裏面読取部３２、裏面画像処理部３４及び表面画像処理部３５に対して読取モードが不定形モードであることを通知する（ＡＣＴ１０１）。
【００３０】
表面読取部３１及び裏面読取部３２は、読取モードの通知に応じてシートの読み取りを開始する（ＡＣＴ１０２）。表面読取部３１は、シートの表面を読み取り、表面画像データを生成する（ＡＣＴ１０３）。表面読取部３１は、生成した表面画像データをページメモリに記憶させる（ＡＣＴ１０４）。同様に、裏面読取部３２は、シートの裏面を読み取り、裏面画像データを生成する（ＡＣＴ１０５）。裏面読取部３２は、生成した裏面画像データをページメモリに記憶させる（ＡＣＴ１０６）。ページメモリは、表面と裏面とで別に設けられてもよいし、一つのページメモリ上に表面用の領域と、裏面用の領域とが設けられても良い。表面画像データ及び裏面画像データは、読み取られたシートごとに対応づけてページメモリ上に記憶される。
【００３１】
読取制御部３３は、読み取り対象の全てのシートについて読み取りが完了したか否かを判定する（ＡＣＴ１０７）。読み取りが完了していないシートが存在する場合（ＡＣＴ１０７−ＮＯ）、読取制御部３３はＡＣＴ１０３に処理を戻し、表面読取部３１及び裏面読取部３２に対して次のシートの読み取りを行わせる。一方、全てのシートについて読み取りが完了した場合（ＡＣＴ１０７−ＹＥＳ）、読取制御部３３は、裏面画像処理部３４に対して、不定形モードの画像処理を実行させる。具体的には、裏面画像処理部３４は、裏面画像データに基づいて裏面位置情報を生成するシート位置検出処理を実行する（ＡＣＴ１０８）。
【００３２】
図６及び図７は、本実施形態におけるシート位置検出処理の動作例を示す図である。裏面画像データには、表面画像データと同様に、シートの下地部分Ｓ１の画像とシート背面の部材部分Ｂ１の画像とが含まれる。裏面画像処理部３４は、シート位置検出処理の第１段階として、裏面画像データに対し第２の階調変換用ＬＵＴ（Ｂ）を用いた階調変換処理を行う。図６は、階調変換処理が施された裏面画像データの具体例を示す。図６に示すように、裏面画像データに対して第２の階調変換用ＬＵＴ（Ｂ）を用いた階調変換処理が行われることによって、シート下地部分Ｓ１の白色とシート背面の部材部分Ｂ１の白色とのレベル差が拡大される。裏面画像処理部３４は、レベル差の拡大によって明確となったシート下地とシート背面の部材との境界を識別することにより、裏面画像内のシート位置を特定し、特定したシート位置を示す裏面位置情報を記憶部３６に記憶させる。
【００３３】
なお、裏面画像処理部３４は、第２階調変換処理を施す前の裏面画像データに対して、明度の反転処理を予め行っても良い。図７は、明度の反転処理が施された裏面画像データの具体例を示す。図７に示すように、予め明度が反転されることによって、第２階調変換処理を施した裏面画像データにおいてシート下地部分Ｓ２とシート背面の部材部分Ｂ２との境界がより明確になり、裏面画像内のシート位置をより正確に特定することが可能となる。
【００３４】
図５の説明に戻る。続いて、表面画像処理部３５が、裏面画像処理部３４によって生成された裏面位置情報に基づいて、表面画像データからシート部分の画像を切り出す画像切り出し処理を実行する（ＡＣＴ１０９）。表面画像処理部３５は、画像切り出し処理によって切り出したシート表面の画像データを、不定形モードの読み取り結果として出力する。
【００３５】
図８は、本実施形態における画像切り出し処理の流れを示すフローチャートである。まず、表面画像処理部３５は、裏面画像処理部３４によって生成された裏面位置情報を記憶部３６から取得する。表面画像処理部３５は、取得した裏面位置情報に基づいて、表面画像データにおけるシート位置を特定する（ＡＣＴ２０１）。裏面画像処理部３４によって生成された裏面位置情報は、裏面画像データにおけるシート位置を示すため、表面画像データにおけるシート位置は、裏面位置情報が示すシート位置を主走査方向に反転させることによって特定することができる。
【００３６】
図９は、表面画像データにおけるシート位置と裏面画像データにおけるシート位置との関係の具体例を示す図である。図９（Ａ）は裏面画像データの具体例を示し、図９（Ｂ）は図９（Ａ）と同じシートの表面画像データの具体例を示す。また、図９（Ａ）及び図９（Ｂ）の縦軸及び横軸に付した数字は各画素の座標に対応する。ｘ軸方向は主走査方向に対応し、ｙ軸方向は副走査方向に対応する。この場合、例えば裏面位置情報は、図９（Ａ）のシートの四隅の座標を示す。具体的には、裏面位置情報は、シート左上隅の座標（ｘ１，ｙ１）と、シート右上隅の座標（ｘ２，ｙ２）と、シート左下隅の座標（ｘ３，ｙ３）と、シート右下隅の座標（ｘ４，ｙ４）と、を示す。この場合、表面画像を反転した位置関係にある裏面画像において、シート左上隅の座標は（Ｗ−ｘ２，ｙ２）、シート右上隅の座標は（Ｗ−ｘ１，ｙ１）、シート左下隅の座標は（Ｗ−ｘ４，ｙ４）、シート右下隅の座標は（Ｗ−ｘ３，ｙ３）と、それぞれ特定することができる。ここで、Ｗは、画像データにおける主走査方向の画素数（幅）を表す。
【００３７】
図８の説明に戻る。続いて、表面画像処理部３５は、図９の例のように特定したシート表面の位置情報（以下「表面位置情報」という。）に基づいて、ページメモリＰＭ１に保持されている表面画像データからシート表面の画像を切り出した表面シート画像データを生成する（ＡＣＴ２０２）。スキュー補正部３７は、取得した表面シート画像データに対して、傾きのズレ（一般に「スキュー」と呼ばれる。）を補正するスキュー補正処理を実行する（ＡＣＴ２０３）。スキュー補正は、シートの四隅の座標から傾きのズレを検出するものであってもよいし、画像解析によって識別される画像の内容（例えば文字等）に基づいて傾きのズレを検出するものであってもよい。
【００３８】
続いて、高画質化処理部３８は、スキュー補正後の表面シート画像データに対して、ノイズの除去やエッジの強調等を行う高画質化処理を実行する（ＡＣＴ２０４）。高画質化処理部３８は、高画質化処理を施した表面シート画像データを所定のファイル形式で出力する（ＡＣＴ２０５）。ファイルは、記憶部３６等の記憶媒体に記憶されてもよいし、外部の装置に送信されてもよい。
【００３９】
表面画像処理部３５は、処理対象の全ての表面画像データに対して画像切り出し処理を実行したか否かを判定する（ＡＣＴ２０６）。未処理の表面画像データが存在する場合（ＡＣＴ２０６−ＮＯ）、表面画像処理部３５はＡＣＴ２０１に処理を戻し、未処理の表面画像データに対して画像切り出し処理を実行する。一方、全ての表面画像データについて画像切り出し処理を実行した場合（ＡＣＴ２０６−ＹＥＳ）、表面画像処理部３５は、画像切り出し処理を終了する。
【００４０】
図１０は、読み取り結果として出力される画像データの具体例を示す図である。このように構成された実施形態の画像処理装置１００は、不定形のシートの読み取りを行う場合に、シート裏面の読み取りを行う。そして、読み取られた裏面画像データに対して通常とは異なる設定情報（階調変換用ＬＵＴ）を用いた階調変換処理を行うことにより、シートの下地色とシート背面の部材の色とのレベル差を拡大させ、より正確にシート位置を特定することができる。そのため、実施形態の画像処理装置１００によれば、不定形のシートの読み取りをより簡易な構成で実現することができる。
【００４１】
なお、上記の実施形態では、画像処理装置の一例として複合機の例を示したが、実施形態の画像処理装置は、画像の読み取り機能のみを備える装置として構成されてもよい。
【００４２】
また、不定形モードでの読み取りの範囲は、読み取り対象のシートが含まれる範囲であればよい。例えば、名刺やレシート等のシートを想定した場合、読み取りの範囲は、それらのシートを含みうるＡ４やＢ５等の特定の範囲に設定されてもよい。また、不定形シートのサイズが大きい場合には、読み取りの範囲は、Ａ３等の最大の範囲に設定されてもよい。また、画像処理装置が読み取りの前処理としてシートのサイズを検出可能である場合、画像処理装置は検出されたシートのサイズに応じて読み取り範囲を変更するように構成されてもよい。
【００４３】
また、不定形モードでの読み取りにおいて、シートの表面及び裏面の両面が読み取り対象である場合、裏面画像処理部３４は、シート位置検出処理に加えて、表面画像データと同様の処理を裏面画像データに対して行うように構成されてもよい。このような処理を行うことによって、裏面画像処理部３４を不定形シートの両面読み取りに対応させることができる。この場合、画像処理装置は、シート位置検出処理用の裏面画像データを保持するページメモリと、画像切り出し処理用の裏面画像データを保持するページメモリとの２つのページメモリを備えてもよい。このような不定形シートの両面読み取りに対応した画像処理装置は、裏面画像データに対する画像切り出し処理を裏面画像処理部３４に実行させることで実現されてもよいし、表面画像処理部３５と同様の機能部が第２の裏面画像処理部として追加されることによって実現されてもよい。
【００４４】
また、実施形態の画像処理装置は、不定形のシートの読み取りを外部システムと連携して行うように構成されてもよい。例えば、画像処理装置は、レシート等の画像データを必要とする経費精算システムや、同様の機能を提供するクラウドシステムに送信するように構成されてもよい。また、画像処理装置は、これらの外部システムの要求に応じて不定形のシートの読み取りを行うように構成されてもよい。
【００４５】
以上説明した少なくともひとつの実施形態によれば、シート裏面が読み取られた裏面画像に基づいて裏面画像内におけるシート部分の位置を検出する裏面画像処理部と、裏面画像内におけるシート部分の位置に基づいて、シート表面が読み取られた表面画像からシート部分の画像を切り出す表面画像処理部と、を持つことにより、不定形シートの読み取りをより簡易な構成で実現することができる。また本実施形態によれば、シートの両面同時読取時に、シート表面の画像データに対する画像処理と、シート裏面の画像データに対する画像処理とが並行して進むため、シートサイズ特定のための待ち時間が発生せず、画像の切り出しが可能となる。
【００４６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４７】
１００…画像処理装置、１…ディスプレイ、２…コントロールパネル、３…画像読取部、３１…表面読取部、３２…裏面読取部、３３…読取制御部、３４…裏面画像処理部、３５…表面画像処理部、３６…記憶部、３７…スキュー補正部、３８…高画質化処理部、４…プリンタ部、５…シート収容部、６…カバー
【図１】
2018142758.tif 000003
【図２】
2018142758.tif 000004
【図３】
2018142758.tif 000005
【図４】
2018142758.tif 000006
【図５】
2018142758.tif 000007
【図６】
2018142758.tif 000008
【図７】
2018142758.tif 000009
【図８】
2018142758.tif 000010
【図９】
2018142758.tif 000011
【図１０】
2018142758.tif 000012